(57)【要約】【課題】  無線ＬＡＮのような送信と受信を時分割で行う無線通信システムに使用される送受信機において、送受信切替器と受信回路との間のアッテネータを不要とし装置の小型化を図ることができるようにする。【解決手段】  無線ＬＡＮのような送信と受信を時分割で行う無線通信システムに使用される送受信機において、受信信号の強度があるレベル以上の場合には、受信時においても送受信切替えスイッチ（１２）を送信用パワーアンプ（１３）側へ切り替え、受信信号を送受信切替えスイッチで減衰させて受信回路へ入力させるようにした。【選択図】  図１
2007336115.tif 000002
【特許請求の範囲】
【請求項１】
複数のアンテナと該複数のアンテナのうち１つを選択するアンテナ切替え手段と送信回路と受信回路と送受信切替え手段と制御回路とを備え、送信と受信を時分割で行う無線ＬＡＮに使用される送受信機において、
上記制御回路は、
前記複数のアンテナからの受信信号の強度がすべて予め設定された第１のレベル以上の場合には、
受信時においても上記送受信切替え手段を上記送信回路側へ切り替え、受信信号を送受信切替え手段で減衰させて上記受信回路へ入力させ、
かつ、送信時に上記送信回路内のアンプのゲインを、受信信号の強度が上記第１のレベル未満の場合のゲインよりも低くし、
前記複数のアンテナからの受信信号のうちいずれかの強度が上記第１のレベルよりも高く前記複数のアンテナからの受信信号のうち他のいずれかの強度が上記第１のレベルよりも低い場合には、上記アンテナ切替え手段を制御して強度が上記第１のレベルよりも低いアンテナからの受信信号を上記受信回路へ入力させるように構成されていることを特徴とする送受信機。
【請求項２】
アンテナと送信回路と受信回路と送受信切替え手段と制御回路とを備え、送信と受信を時分割で行う無線通信システムに使用される送受信機において、上記制御回路は受信信号の強度が所定のレベル以上の場合には、受信時においても上記送受信切替え手段を上記送信回路側へ切り替え、受信信号を送受信切替え手段で減衰させて上記受信回路へ入力させるように構成されていることを特徴とする送受信機。
【請求項３】
上記制御回路は、受信信号の強度が上記所定のレベル以上の場合には、送信時に上記送信回路内のアンプのゲインを受信信号の強度が上記所定のレベル未満の場合のゲインよりも低くすることを特徴とする請求項２に記載の送受信機。
【請求項４】
複数のアンテナと該複数のアンテナのうち１つを選択するアンテナ切替え手段と送信回路と受信回路と送受信切替え手段と制御回路とを備え、送信と受信を時分割で行う無線通信システムに使用される送受信機において、上記制御回路は少なくとも１つのアンテナからの受信信号の強度が予め設定された第１のレベル以上の場合には、受信時においても上記送受信切替え手段を上記送信回路側へ切り替え、受信信号を送受信切替え手段で減衰させて上記受信回路へ入力させるように構成されていることを特徴とする送受信機。
【請求項５】
上記制御回路は、少なくとも１つのアンテナからの受信信号の強度が上記第１のレベル以上の場合には、送信時に上記送信回路内のアンプのゲインを受信信号の強度が上記第１のレベル未満の場合のゲインよりも低くすることを特徴とする請求項４に記載の送受信機。
【請求項６】
上記制御回路は、前記複数のアンテナからの受信信号のうちいずれかの強度が上記第１のレベルよりも高く前記複数のアンテナからの受信信号のうち他のいずれかの強度が上記第１のレベルよりも低い場合には、上記アンテナ切替え手段を制御して強度が上記第１のレベルよりも低いアンテナからの受信信号を上記受信回路へ入力させることを特徴とする請求項４に記載の送受信機。
【発明の詳細な説明】
【技術分野】
【０００１】
本発明は、アンテナの接続を送信側または受信側に切り替えるいわゆるアンテナスイッチを備えた送受信時分割方式の無線通信システムに使用される送受信機に関し、特に比較的狭いエリア内での無線通信を行なう無線ＬＡＮ（ローカルエリアネットワーク）に使用される送受信機に利用して有効な技術に関するものである。
【背景技術】
【０００２】
無線ＬＡＮのような送信と受信を時分割で行なう送受信時分割方式の無線通信システムに使用される送受信機においては、アンテナの接続を送信側または受信側に切り替えるアンテナスイッチと呼ばれる送受信切替えスイッチが設けられており、受信時にはこのスイッチを受信側に切り替えて受信信号を高利得の増幅器を有する受信回路（ＲＦ−ＩＣ）へ入力させるようにしている。
【０００３】
ところで、無線通信では、受信強度が高過ぎると増幅器が飽和して受信信号が歪んでデータの誤り率がかえって増加してしまうので、受信信号の歪みを低減させるため、送受信切替えスイッチの後段にアッテネータを設けて受信信号を減衰してから受信回路（ＲＦ−ＩＣ）へ入力させるのがよい。
【０００４】
しかしながら、アッテネータを設けると強度の低い微弱な受信信号を復調することが困難になる。そこで、受信信号の強度を検出して、受信強度が高いときはアッテネータを通し、受信強度が低いときはアッテネータを通さないように信号の経路を切り替えるスイッチを設けるようにした技術がある。
【０００５】
また、無線ＬＡＮには、複数のアンテナを有するいわゆるダイバシティアンテナとアンテナ切替えスイッチとを設けて、受信強度が高い方のアンテナからの受信信号を選択するようにスイッチの切り替え制御を行なうようにする技術があり、ダイバシティアンテナを有する無線ＬＡＮにおいても送受信切替えスイッチの後段にアッテネータを設けて、受信強度が高いときはアッテネータを通し、受信強度が低いときはアッテネータを通さないように信号の経路を切り替えるようにした技術がある。
【特許文献１】特開２００２−２２３１７６号公報
【特許文献２】特開平０７−２９７７５２号公報
【特許文献３】特開平０６−２５２７９４号公報
【特許文献４】特開平０６−１４０９５９号公報
【特許文献５】特開平１１−０６８６１３号公報
【特許文献６】特開２００５−３４８１３７号公報
【特許文献７】特開２００５−２０３９４７号公報
【発明の開示】
【発明が解決しようとする課題】
【０００６】
送受信切替えスイッチの後段にアッテネータを設けるようにした無線ＬＡＮにあっては、アッテネータと該アッテネータを通したりバイパスさせたりするための信号経路切替えスイッチが必要であるため、部品点数が増加し機器の小型化が図れないという課題がある。近年、受信信号を増幅したりダウンコンバートしたりする受信回路は送信信号をアップコンバートする送信回路と共に１つの半導体チップ上に集積回路として構成したものが提供されるようになってきているが、アッテネータは抵抗や容量などの部品を組み合わせて外付け回路として構成することが一般的であるため、機器の小型化の妨げの原因となる。
【０００７】
なお、ＰＤＣ（Personal Digital Cellular）やＰＨＳ（Personal Handy-phone System）方式のような携帯電話機において、受信信号レベルを検出し、閾値を越えると復調器がＲＦスイッチを送信出力のない送信部側へ切り替えさせ、受信部の入力に大きな減衰を与え、増幅部の自動利得制御機能を簡易な回路構成で実現可能とするようにした発明が提案されている（特許文献１）。
【０００８】
また、ＴＤＤ（Time Division Duplex）方式の無線通信機器において、送信時にはアンテナと送信回路とを接続状態にし、受信時にはアンテナと受信回路とを接続状態に切り換える送受信切替器によって、受信時であってもアンテナ受信信号の強度が所定値以上であれば、アンテナと受信回路を非接続状態に切り換えることによって、送受信切替器をアンテナと受信回路との間における高周波減衰器として機能させるように構成した発明が提案されている（特許文献２）。
【０００９】
上記先願に係る発明は、いずれも主として通話のための無線通信装置に関するものでもっぱらデータ通信に使用される本願発明に係る無線ＬＡＮとは対象が異なるとともに、時分割多重方式も先願発明は送信時間と受信時間が固定されているＴＤＭＡ（Time Division Multiple Access）であるのに対し、無線ＬＡＮは送信時間と受信時間が可変のＣＳＭＡ（Carrier Sense Multiple Access）である。また、上記先願に係る発明は、いずれも受信信号の強度が高いときに送受信切替えスイッチを送信側へ切り替えるのみで、受信強度に応じて送信回路のゲイン（増幅率）を制御することに関しては開示していない。
【００１０】
本発明の目的は、無線ＬＡＮのような送信と受信を時分割で行う無線通信システムに使用される送受信機において、送受信切替器と受信回路との間のアッテネータを不要とし装置の小型、軽量化を図るとともに、コストを低減することができるようにすることにある。
【課題を解決するための手段】
【００１１】
本発明は、アンテナと送信回路と受信回路と送受信切替え手段と制御回路とを備え、送信と受信を時分割で行う無線通信システムに使用される送受信機において、上記制御回路は受信信号の強度が所定のレベル以上の場合には、受信時においても上記送受信切替え手段を上記送信回路側へ切り替え、受信信号を送受信切替え手段で減衰させて上記受信回路へ入力させるように構成する。また、複数のアンテナと該複数のアンテナのうち１つを選択するアンテナ切替え手段と送信回路と受信回路と送受信切替え手段と制御回路とを備え、送信と受信を時分割で行う無線通信システムに使用される送受信機において、上記制御回路は受信信号の強度が予め設定された第１のレベル以上の場合には、受信時においても上記送受信切替え手段を上記送信回路側へ切り替え、受信信号を送受信切替え手段で減衰させて上記受信回路へ入力させるように構成したものである。これによって、アッテネータや信号経路の切替え回路が不要となり、装置の部品点数を減らし小型化を図ることが可能となる。
【００１２】
ここで、望ましくは、上記制御回路は、受信信号の強度が上記所定のレベル以上の場合には、送信時に上記送信回路内のアンプのゲインを下げて送信信号のレベルを下げるようにする。これによって、その信号を受けるサーバや中継器側での受信信号の処理の際に信号の歪みを小さくしてデータの誤り率を下げることができるとともに、送信レベルを下げることで端末の消費電力を減らすことができる。
【００１３】
さらに、望ましくは、上記制御回路は、受信信号の強度が上記第１のレベルよりも低く該第１のレベルよりも低い第２のレベル以上の場合には、送信時に上記アンテナ切替え手段を制御してレベルの低い方のアンテナからの受信信号を上記受信回路へ入力させるように構成する。これにより、受信回路へ入力される受信信号のレベルを、受信信号強度に応じて多段階に制御することができる。
【発明の効果】
【００１４】
本発明に従うと、無線ＬＡＮのような送信と受信を時分割で行う無線通信システムに使用される送受信機において、送受信切替器と受信回路との間のアッテネータを不要とし装置の小型、軽量化を図るとともに、コストを低減することができるようになるという効果がある。
【発明を実施するための最良の形態】
【００１５】
以下、図面を用いて本発明の実施形態を説明する。
図１は、本発明を適用して好適な無線ＬＡＮ用の送受信機の一実施例を示す。
本実施例の送受信機は、信号電波の送受信を行なうアンテナ１１と、送受信切替え用のスイッチ１２と、送信信号を電力増幅して上記アンテナ１１より送信するパワーアンプ１３と、受信信号をダウンコンバートしたり送信信号をアップコンバートしたりする送受信部２０と、変復調およびベースバンド処理を行なうベースバンド部３０などから構成される。
【００１６】
送受信部２０は、受信信号を増幅するアンプ２１、該アンプ２１で増幅された受信信号と所定の周波数の発振信号（高周波信号）とをミキシングして周波数の低い信号にダウンコンバートするミキサ２２などを備える。また、送受信部２０は、変調された送信信号をアップコンバートして送信用パワーアンプ１３へ出力するミキサ２７を備える。
【００１７】
ベースバンド部３０は、上記送受信部２０から出力される受信信号を復調して受信データを復元する復調回路３２、送信データを変調する変調回路３３、受信信号の振幅レベルを測定する信号レベル測定回路３５、チップ内部の回路の制御信号や上記送受信切替えスイッチ１２の切替え信号を生成したり上記信号レベル測定回路３５の出力に基づいて送受信部２０内のアンプのゲインを制御するゲイン制御データを生成して送受信部２０へ送ったりするシステム制御回路３６を備える。
【００１８】
上記システム制御回路３６は、プログラムによって動作する汎用のマイクロコンピュータもしくはマイクロプロセッサ（以下、マイコンと称する）と同様な構成を有する回路により構成することができる。また、ＩＥＥＥ８０２．１１ａ規格に従った無線ＬＡＮシステムは、変調方式としてＯＦＤＭ（直交周波数分割多重）方式を用いており、本実施例を無線ＬＡＮシステムに適用した場合、上記復調回路３２と変調回路３３がＯＦＤＭ方式に従った変復調を行なうように、ベースバンド部３０が構成される。
【００１９】
本実施例の送受信機においては、信号レベル測定回路３５により測定された受信信号の強度があるレベル以上であった場合に、システム制御回路（マイコン）３６が受信時においても上記送受信切替えスイッチ１２を送信用パワーアンプ側へ切り替えるような制御信号Ｓ１を生成して出力するように構成されている。また、送受信切替えスイッチ１２は、パワーアンプ側へ切り替えられた場合、受信信号を１５〜２０ｄＢ程度減衰させてアンプ２１へ伝達するような特性のものが使用される。
【００２０】
さらに、この実施例では、信号レベル測定回路３５により測定された受信信号の強度があるレベル以上であった場合に、システム制御回路（マイコン）３６が、送信時にパワーアンプ１３のゲインを低い側に切り替える制御信号Ｓ２をパワーアンプ１３へ出力するように構成されている。
【００２１】
無線ＬＡＮは多くの場合、端末が移動せずにつまりサーバや中継器との距離が変わらない状態で使用されると予想されるので、受信信号の強度が高いということは、端末とサーバや中継器との距離が短いということであり、そのような場合には、送信信号のレベルを下げても通信が可能であるとともに、送信レベルを下げることでその信号を受けるサーバや中継器側での受信信号の処理の際に信号の歪みを小さくしてデータの誤り率を下げることができる。また、送信レベルを下げることで端末の消費電力を減らすことができるというメリットがある。
【００２２】
図２には、上記システム制御回路３６によって実行される送受信切替えスイッチ１２の切替え制御処理の具体的な手順の一例が示されている。
この切替え制御処理が開始されると、まず信号レベル測定回路３５による受信レベルの計測を行う（ステップＳ１）。次に、計測した受信レベルが例えば−１０ｄＢのような所定のレベルよりも高いか否か判定する（ステップＳ２）。そして、受信レベルが−１０ｄＢよりも高いと判定したときは、ステップＳ３へ進んで送受信切替えスイッチ１２を送信側へ切り替えるような制御信号Ｓ１を生成して出力する（ステップＳ３）。これとともに、所定のフラグANT Flagを"１"にセットして送受信切替えスイッチ１２が送信側であることを記憶してステップＳ１へ戻る（ステップＳ４）。
【００２３】
上記ステップＳ２で受信レベルが−１０ｄＢよりも低いと判定したときは、ステップＳ５へ進んで受信レベルが例えば−３５ｄＢのような所定のレベルよりも低くかつ上記フラグANT Flagが"１"であるか否か判定する。そして、"Ｙｅｓ"つまり受信レベルが−１０ｄＢよりも低くかつ上記フラグANT Flagが"１"であると判定したときは、送受信切替えスイッチ１２を受信側へ切り替えるような制御信号Ｓ１を生成して出力する（ステップＳ６）。
【００２４】
これとともに、上記フラグANT Flagを"０"にクリアして送受信切替えスイッチ１２が受信側であることを記憶してステップＳ１へ戻る（ステップＳ７）。上記ステップＳ５で受信レベルが−３５ｄＢよりも高いまたは上記フラグANT Flagが"０"であると判定したときは、送受信切替えスイッチ１２を切り替えずにステップＳ１へ戻って受信レベルの計測を行う。
【００２５】
図２の処理フローでは、ステップＳ１とＳ５で異なるレベルで判定を行うようにしているため、ヒステリシスを持たせることができ、受信信号の僅かな変動によって送受信切替えスイッチ１２が送信側と受信側に頻繁に切り替わるのを防止することができる。
【００２６】
なお、図２には示されていないが、システム制御回路３６は、送信処理の開始の際に、上記フラグANT Flagを参照して送受信切替えスイッチ１２が受信側にあるときは、送信側へ切り替えるような制御信号Ｓ１を生成する一方、送受信切替えスイッチ１２が送信側にあるときは、送受信切替えスイッチ１２は切り替えずに、パワーアンプ１３のゲインを低い側に切り替えるような制御信号Ｓ２を生成して出力するようになっている。
【００２７】
図３は、本発明を適用して好適な無線ＬＡＮ用の送受信機の他の実施例を示す。
本実施例の送受信機は、信号電波の送受信を行なうアンテナを複数個設けたダイバシティアンテナを備えたものである。この実施例では、送受信切替えスイッチ１２とは別にアンテナ１１ａ，１１ｂとの間にいずれのアンテナを使用するか選択するアンテナ切替えスイッチ１４が設けられている。アンテナ切替えスイッチ１４は、システム制御回路３６の制御信号Ｓ３によって切替えが行なわれる。
【００２８】
この実施例においても、第１の実施例と同様に、受信信号のレベルを計測する測定回路３５が設けられており、受信信号の強度があるレベルよりも高い場合には、受信時であっても送受信切替えスイッチ１２を送信側に切り替えることによって、スイッチの持つ減衰率（−１５〜２０ｄＢ）を利用して受信信号のレベルを下げて受信回路へ入力させて、信号の歪みを小さくできるようになっている。また、受信時に送受信切替えスイッチ１２を送信側に切り替えた場合には、送信時にパワーアンプ１３のゲインを下げて送信信号のレベルを下げるようになっている。
【００２９】
図４には、第２の実施例において、システム制御回路３６によって実行される送受信切替えスイッチ１２およびアンテナ切替えスイッチ１４の切替え制御処理の具体的な手順の一例が示されている。
【００３０】
この切替え制御処理が開始されると、まず信号レベル測定回路３５による受信レベルの計測を行う（ステップＳ１１）。次に、計測した受信レベルが例えば−１０ｄＢのような所定のレベルよりも高いか否か判定する（ステップＳ１２）。そして、受信レベルが−１０ｄＢよりも高いと判定したときは、ステップＳ１３へ進んで、接続されているアンテナがいずれであるかを判定する。ここで、接続されているアンテナがアンテナ１（１１ａ）の場合には、アンテナ切替えスイッチ１４をアンテナ２（１１ｂ）側へ、接続されているアンテナがアンテナ２の場合には、アンテナ切替えスイッチ１４をアンテナ１側へ切り替えるような制御信号Ｓ３を生成して出力する（ステップＳ１４，Ｓ１７）。
【００３１】
続いて、切り替えた側のアンテナからの受信信号のレベルを測定回路３５で計測させる（ステップＳ１５，Ｓ１８）。そして、計測した受信レベルが再び−１０ｄＢレベルよりも高いか否か判定する（ステップＳ１６，Ｓ１９）。ここで、受信レベルが再び−１０ｄＢレベルよりも高いと判定すると、送受信切替えスイッチ１２を送信側に切り替える（ステップＳ２０）。これとともに、所定のフラグANT Flagを"１"にセットして送受信切替えスイッチ１２が送信側であることを記憶してステップＳ１１へ戻る（ステップＳ２１）。
【００３２】
上記ステップＳ１６，Ｓ１９でそれぞれ受信レベルが−１０ｄＢよりも低いと判定したときは、送受信切替えスイッチ１２を切り替えずにステップＳ１１へ戻って再び当該アンテナの受信レベルを計測し、ステップＳ１２で"Ｎｏ"と判定されてステップＳ２２へ進む。ステップＳ２２で、受信レベルが例えば−３５ｄＢのような所定のレベルよりも低くかつ上記フラグANT Flagが"１"であるか否か判定する。そして、"Ｎｏ"つまり受信レベルが−３５ｄＢよりも高いまたは上記フラグANT Flagが"０"であると判定したときは、ステップＳ１へ戻って受信レベルの計測を行う。
【００３３】
上記ステップＳ２２で"Ｙｅｓ"つまり受信レベルが−１０ｄＢよりも低くかつ上記フラグANT Flagが"１"であると判定したときは、送受信切替えスイッチ１２を受信側へ切り替えるような制御信号Ｓ１を生成して出力する（ステップＳ２３）。これとともに、上記フラグANT Flagを"０"にクリアして送受信切替えスイッチ１２が受信側であることを記憶してステップＳ１１へ戻る（ステップＳ２４）。なお、ステップＳ１６，Ｓ１９でそれぞれ受信レベルが−１０ｄＢよりも低いと判定したときは、ステップＳ１１へ戻る代わりに、直ちにステップＳ２２へ進むようにしてもよい。
【００３４】
ダイバシティアンテナを備えたこの第２の実施例においては、アンテナ１とアンテナ２の受信信号の強度が共に−１０ｄＢよりも高い場合には、受信時であっても送受信切替えスイッチ１２が送信側に切り替えられる。また、アンテナ１とアンテナ２の受信信号の一方が−１０ｄＢよりも高く、他方が−１０ｄＢよりも低く−３５ｄＢよりも高い場合には、切り替えた側すなわちレベルの低い側のアンテナの受信信号が受信回路へ入力されるように制御される。そして、送受信切替えスイッチ１２が送信側であって一方のアンテナの受信信号が−３５ｄＢよりも低い場合には、送受信切替えスイッチ１２は受信側に切り替えるように制御される。
【００３５】
図５には、第２の実施例において、システム制御回路３６によって実行される送受信切替えスイッチ１２およびアンテナ切替えスイッチ１４の切替え制御処理の具体的な手順の他の例が示されている。
【００３６】
この切替え制御処理が開始されると、まず信号レベル測定回路３５による受信レベルの測定を行う（ステップＳ３１）。次に、測定した受信レベルが例えば−１０ｄＢのような所定のレベルよりも低いか否か判定する（ステップＳ３２）。そして、受信レベルが−１０ｄＢよりも低いと判定したときは、ステップＳ３３へ進んで、−７０ｄＢよりも低いか否か判定する。ここで、−７０ｄＢよりも高いときはステップＳ３１へ戻り、−７０ｄＢよりも低いときはステップＳ３４で他方のアンテナ（Ｂ）の受信レベルと比較して高いか否かを判定する。そして、他方のアンテナ（Ｂ）の受信レベルよりも高いと判定したとき（Ｂ大）はそのままステップＳ３１へ、また他方のアンテナ（Ｂ）の受信レベルよりも低いと判定したとき（Ａ大）はステップＳ３５でアンテナ切替えスイッチ１４を切り替えてからステップＳ３１へ戻る。
【００３７】
次に、再び受信レベルを測定し、測定した受信レベルが例えば−１０ｄＢのような所定のレベルよりも低いか否か判定する（ステップＳ３２）。そして、受信レベルが−１０ｄＢよりも高いと判定したときは、ステップＳ３６へ進んで、他方のアンテナ（Ｂ）の受信レベルと比較して低いか否かを判定する。ここで、他方のアンテナ（Ｂ）の受信レベルよりも低い（Ａ小）と判定したときはステップＳ３７へ、また他方のアンテナ（Ｂ）の受信レベルよりも高い（Ｂ小）と判定したときはステップＳ３９へ移行し、それぞれ受信レベルが−１０ｄＢよりも低いか否か判定する。
【００３８】
そして、受信レベルが−１０ｄＢよりも高いと判定したときは、ステップＳ４１へ進んで、送受信切替えスイッチ１２を送信側へ切り替えてからステップＳ３１へ戻る。一方、ステップＳ３７で受信レベルが−１０ｄＢよりも低いと判定したときはステップＳ３８でアンテナ切替えスイッチ１４をアンテナＢからＡへ、また、ステップＳ３９で受信レベルが−１０ｄＢよりも低いと判定したときはステップＳ４０でアンテナ切替えスイッチ１４をアンテナＡからＢへそれぞれ切り替えてステップＳ３１へ戻る。このフローに従うと、アンテナＡとアンテナＢの受信信号の強度が共に−１０ｄＢよりも高い場合には、受信時であっても送受信切替えスイッチ１２が送信側に切り替えられる。なお、上記フローチャートにおいて、２つのアンテナの受信レベルの比較は、信号の先頭の部分にあるプリアンブル信号受信期間に行なうのが望ましい。
【００３９】
以上本発明者によってなされた発明を実施形態に基づいて具体的に説明したが、本発明はそれに限定されるものではない。例えば、前記実施例においては、受信時に送受信切替えスイッチ１２を送信側に切り替えた場合には、送信時にパワーアンプ１３のゲインを下げるとしたが、パワーアンプ１３よりも前段にあるアンプのゲインを下げるようにしても良い。
【００４０】
また、ダイバシティアンテナを備えた前記第２の実施例において、一方のアンテナの受信信号の強度があるレベルよりも高い場合には、他方のアンテナの受信信号レベルを計測することなく送受信切替えスイッチ１２を送信側に切り替えるように制御してもよい。一方のアンテナの受信信号が−１０ｄＢのように高い場合は、他方のアンテナの受信信号のレベルもかなり高い場合が予想されるからである。
【産業上の利用可能性】
【００４１】
以上の説明では主として本発明者によってなされた発明をその背景となった利用分野である無線ＬＡＮに用いられる送受信機に適用した場合について説明したが、本発明はそれに限定されるものでなく、ブルートゥース通信機能を有する送受信機に対しても本発明を適用することができる。本発明は、ふだんあまり移動されることがない非移動方式の送受信機に利用すると有効である。
【図面の簡単な説明】
【００４２】
【図１】本発明を適用して好適な無線ＬＡＮ用の送受信機の一実施例を示すブロック図である。
【図２】図１の実施例の送受信機において、システム制御回路によって実行される送受信切替えスイッチの切替え制御処理の具体的な手順の一例を示すフローチャートである。
【図３】本発明を適用して好適な無線ＬＡＮ用の送受信機の他の実施例を示すブロック図である。
【図４】図３の実施例の送受信機において、システム制御回路によって実行される送受信切替えスイッチの切替え制御処理の具体的な手順の一例を示すフローチャートである。
【図５】図３の実施例の送受信機において、システム制御回路によって実行される送受信切替えスイッチの切替え制御処理の具体的な手順の他の例を示すフローチャートである。
【符号の説明】
【００４３】
１１  アンテナ
１２  送受信切替えスイッチ
１３  送信用パワーアンプ
１４  アンテナ切替えスイッチ
２０  送受信部
２１  ロウノイズアンプ
２２  ミキサ
３０  ベースバンド部
３２  復調回路
３３  変調回路
３５  測定回路
３６  システム制御回路（マイコン）
【図１】
2007336115.tif 000003
【図２】
2007336115.tif 000004
【図３】
2007336115.tif 000005
【図４】
2007336115.tif 000006
【図５】
2007336115.tif 000007